(57)【要約】  マルチコンポーネントディスプレイ上での表示のための図的データを処理するための方法、コンピュータ可用媒体、及びシステムが開示される。その実施形態では、図的データを変更することによって、マルチコンポーネントディスプレイにおける中間層及び／又は表示スクリーンによって生じるひずみを事前に補償して、マルチコンポーネントディスプレイにおける表示品質を改善することができる。これにより、マルチコンポーネントディスプレイにおいて表示される図的オブジェクトの光学的な特性を改善することができる。例えば、マルチコンポーネントディスプレイにおける要素が表示画像をボケさせる場合は、図的オブジェクトを表示するために使用される図的データが変更され、表示前に図的オブジェクトをシャープ化することができる。事前のシャープ化は、表示される図的オブジェクトにおける高周波成分を増幅することによって、図的オブジェクトがマルチコンポーネントディスプレイの要素を通過することによる減衰を補償することができる。
2010538304.tif 000002
【特許請求の範囲】
【請求項１】
表示装置上での表示のために図的データを処理する方法であって、この方法は、以下を備える：
前記図的データにアクセスすること；
前記表示装置に関係する図的変更情報にアクセスすること、ここで、前記図的変更情報は、前記表示装置上で表示される図的オブジェクトのひずみに関係している；そして
更新された図的データを生成するために、前記図的変更情報に従って前記図的データを処理すること、ここで、前記更新された図的データは、前記ひずみを補償しており、かつ、前記表示装置における表示品質を改善するものである。
【請求項２】
請求項１の方法であって、ここでは、前記処理は、画像シャープ化アルゴリズムを前記図的データに適用することを備えている。
【請求項３】
請求項１〜２のいずれかの方法であって、ここでは、前記処理は、前記図的データにおける高周波成分を増幅することを備えている。
【請求項４】
請求項３の方法であって、ここでは、前記高周波成分についての前記増幅は、以下を備えている：
低域通過の図的データを生成するために、低域通過フィルタを前記図的データに適用すること；
高域通過の図的データを生成するために、前記低域通過の図的データを、前記図的データから減算すること；そして
増幅された高周波成分を持つ前記更新された図的データを生成するために、前記高域通過の図的データを、前記図的データに追加すること。
【請求項５】
請求項１〜４のいずれかの方法であって、ここでは、前記表示装置は、マルチコンポーネントディスプレイを備えており、さらに、ここでは、前記方法は、さらに以下を備える：
前記更新された図的データに基づいて、前記マルチコンポーネントディスプレイ上に図的オブジェクトを表示すること。
【請求項６】
請求項１〜５のいずれかの方法であって、さらに以下を備える：
前記図的データを、第１の空間から第２の空間に変換すること；
前記第２の空間中で前記図的データを処理することにより、前記第２の空間中で前記更新された図的データを生成すること；そして
前記更新された図的データを、前記第２の空間から前記第１の空間に変換すること。
【請求項７】
請求項６の方法であって、ここでは、前記第１の空間は、赤−緑−青の色空間を備えており、さらにここでは、前記第２の空間は、輝度−色空間を備えている。
【請求項８】
請求項１〜７のいずれかの方法であって、ここでは、前記図的変更情報は、前記表示装置における光学要素に関係している。
【請求項９】
請求項８の方法であって、ここでは、前記光学要素は、フィルタ、ディフューザ、偏光器、レンズ、及びタッチスクリーンからなる群から選ばれている。
【請求項１０】
請求項１〜９のいずれかの方法であって、ここでは、前記図的変更情報は、前記表示装置における表示スクリーンに関係している。
【請求項１１】
マルチコンポーネントディスプレイ上での表示のための図的データを処理する方法をコンピュータシステムに実装させるためのコンピュータ可読プログラムコードが格納されたコンピュータ可用媒体であって、前記方法は以下を備える：
前記図的データにアクセスすること：
前記マルチコンポーネントディスプレイに関係する図的変更情報にアクセスすること、ここで、前記図的変更情報は、前記マルチコンポーネントディスプレイ上で表示される図的オブジェクトのひずみに関係している；そして
前記図的変更情報に従って前記図的データを処理することによって、更新された図的データを生成すること、ここで、前記更新された図的データは、前記ひずみを補償し、そして、前記マルチコンポーネントディスプレイにおける表示品質を改善するものである。
【請求項１２】
請求項１１のコンピュータ可用媒体であって、ここでは、前記処理は、画像シャープ化アルゴリズムを前記図的データに適用することを備える。
【請求項１３】
請求項１１〜１２のいずれかのコンピュータ可用媒体であって、ここでは、前記処理は、前記図的データにおける高周波成分の増幅を含む。
【請求項１４】
請求項１３のコンピュータ可用媒体であって、ここでは、前記高周波成分の増幅は以下を備える：
低域通過フィルタを前記図的データに適用して、低域通過の図的データを生成すること；
前記低域通過の図的データを前記図的データから減ずることにより、高域通過の図的データを生成すること；そして
前記高域通過の図的データを前記図的データに追加することによって、増幅された高周波成分を有する前記更新された図的データを生成すること。
【請求項１５】
請求項１１〜１４のいずれかのコンピュータ可用媒体であって、これは、さらに以下を含む：
前記図的データを、第１の空間から第２の空間に変換すること；
前記第２の空間における前記図的データを処理することにより、前記第２の空間における前記更新された図的データを生成すること；そして
前記更新された図的データを、前記第２の空間から前記第１の空間に変換すること。
【請求項１６】
請求項１５のコンピュータ可用媒体であって、ここでは、前記第１の空間は、赤−緑−青の色空間を備えており、そしてここでは、前記第２の空間は、輝度−色空間を備えている。
【請求項１７】
請求項１１〜１６のいずれかのコンピュータ可用媒体であって、ここでは、前記図的変更情報は、前記マルチコンポーネントディスプレイにおける光学的要素に関係している。
【請求項１８】
請求項１７のコンピュータ可用媒体であって、ここでは、前記光学的要素は、フィルタ、ディフューザ、偏光器、レンズ、及びタッチスクリーンからなる群から選択される。
【請求項１９】
請求項１１〜１８のいずれかのコンピュータ可用媒体であって、ここでは、前記図的変更情報は、前記マルチコンポーネントディスプレイにおける表示スクリーンに関係している。
【請求項２０】
メモリに接続されたプロセッサを備えるシステムであって、ここでは、前記メモリは、マルチコンポーネントディスプレイ上での表示品質の改善のために図的データを処理する方法を、前記プロセッサ上での実行時において実装する命令を備えており、前記方法は以下を備える：
前記図的データにアクセスすること；
前記マルチコンポーネントディスプレイに関係する図的変更情報にアクセスすること、ここで、前記図的変更情報は、前記マルチコンポーネントディスプレイ上で表示される図的オブジェクトのひずみに関係している；そして
前記図的変更情報に従って前記図的データを処理することにより、更新された図的データを生成すること、ここでは、前記更新された図的データは、前記ひずみを補償し、そして、前記マルチコンポーネントディスプレイにおける前記表示品質を改善するものである。
【請求項２１】
請求項２０のシステムであって、ここでは、前記処理は、画像シャープ化アルゴリズムを前記図的データに適用することを備える。
【請求項２２】
請求項２０〜２１のいずれかのシステムであって、ここでは、前記処理は、前記図的データにおける高周波成分の増幅を備える。
【請求項２３】
請求項２２のシステムであって、ここでは、前記高周波成分の増幅は以下を含む：
低域通過フィルタを前記図的データに適用して、低域通過の図的データを生成すること；
前記低域通過の図的データを前記図的データから減じることにより、高域通過の図的データを生成すること；そして
前記高域通過の図的データを前記図的データに追加することにより、増幅された高周波成分を備える前記更新された図的データを生成すること。
【請求項２４】
請求項２０〜２３のいずれかのシステムであって、さらに以下を備える：
前記図的データを、第１の空間から第２の空間に変換すること；
前記第２の空間における前記図的データを処理することによって、前記第２の空間における前記更新された図的データを生成するこ；そして
前記更新された図的データを、前記第２の空間から前記第１の空間に変換すること。
【請求項２５】
請求項２４のシステムであって、ここでは、前記第１の空間は、赤−緑−青の色空間を備えており、そしてここでは、前記第２の空間は、輝度−色空間を備えている。
【請求項２６】
請求項２０〜２５のいずれかのシステムであって、ここでは、前記図的変更情報は、前記マルチコンポーネントディスプレイにおける光学要素に関係している。
【請求項２７】
請求項２６のシステムであって、ここでは、前記光学要素は、フィルタ、ディフューザ、偏光器、レンズ、及びタッチスクリーンからなる群から選択される。
【請求項２８】
請求項２０〜２７のいずれかのシステムであって、ここでは、前記図的変更情報は、前記マルチコンポーネントディスプレイにおける表示スクリーンに関係している。
【発明の詳細な説明】
【背景技術】
【０００１】
マルチコンポーネントディスプレイは、積層して配置された複数の表示スクリーンを一般に含む。各表示スクリーンは、画像を表示することができ、これによって、単独の表示スクリーンでは得られない視覚的な深さ（visual depth）および他の視覚効果を発揮することができる。さらに、マルチコンポーネントディスプレイの特性を変更するために、ディフューザ、フィルタ、あるいは他の中間層（interstitial layers）が、表示スクリーン間にしばしば配置される。
【０００２】
ディフューザは、モアレ干渉として一般に知られている、溝付け（banding）あるいは他の繰り返しパターンの効果を減らすために、マルチコンポーネントディスプレイにおいて一般に使用される。モアレ干渉は、マルチコンポーネントディスプレイを構成するために表示スクリーンが積層されている場合に生じるものであり、それは、カラーフィルタと各表示スクリーンのマトリックス（これは、各ピクセルに割り当てられた溝（traces）、配線（leads）、及びトランジスタを覆っている）との間の干渉によって典型的には生じる。後方（rear）ディスプレイとディフューザとの間隔は、ディフューザ自身の拡散特性と同様に、モアレ干渉を減らすために変更可能である。
【０００３】
ディフューザは、モアレ干渉を減らすことができるけれども、それらは、マルチコンポーネントディスプレイの後方表示スクリーン上に表示される画像をぼかしてしまう。そこで、ディフューザの拡散特性を変更すること、及び／又は、後方表示スクリーンとディフューザとの間隔を変更することにより、モアレ干渉とボケとの間におけるトレードオフを最適化する手順が取られている。その結果、通常のマルチコンポーネントディスプレイは、後方表示スクリーン上に表示される画像を、モアレ干渉を減らすための努力の一環として、ぼかしている。
【発明の概要】
【０００４】
したがって、マルチコンポーネントディスプレイ上に表示される画像のボケを減らす必要が存在する。また、マルチコンポーネントディスプレイに関係するモアレ干渉を減らしながら、画像ボケを減らす必要が存在する。本発明の実施形態は、これらの、そして以下に記載する他の必要に対応する、新しい解決策を提供する。
【０００５】
本発明の実施形態は、マルチコンポーネントディスプレイ上での表示のための図的データを処理するための方法、コンピュータ可用媒体（computer-usable medium）、及びシステムを指向している。より具体的には、本実施形態は、中間層（例えばディフューザ、フィルタ、偏光器、レンズ、タッチスクリーンなど）及び／又はマルチコンポーネントディスプレイの表示スクリーンによって生じるひずみ（distortion）を先行的に補償するために図的データを修正することにより、マルチコンポーネントディスプレイにおける表示品質を改善するものであって、これによって、マルチコンポーネントディスプレイにおける図的なオブジェクト（graphical object）の表示を、光学的な特性（例えばシャープさ（sharpness）、色調バランス（tonal balance）、カラーバランス（color balance）など）において改善することができる。例えば、マルチコンポーネントディスプレイの要素が表示画像をぼかす（例えば表示画像における高周波成分を抑制ないし減少させることによって）とき、図的オブジェクトを表示するために用いられる図的データは、図的オブジェクトをシャープにするように、表示前に変更される。この事前シャープ化は、表示される図的オブジェクトの高周波成分を増幅し、これにより、マルチコンポーネントディスプレイの要素を図的オブジェクトが通過することによって生じる減衰（dampening）を補償することができる。
【０００６】
ある実施形態では、表示装置（例えばマルチコンポーネントディスプレイ）上で表示するための図的データを処理することについての、コンピュータで制御される方法は、図的データにアクセスすることを含む。表示装置に関係する図的変更情報（graphical alteration information）がアクセスされるが、ここで、図的変更情報は、表示装置上で表示される図的オブジェクトについてのひずみ（distortion）に関連している。図的データは、図的変更情報に従って処理されて、更新された図的データを生成することができる。ここで、更新された図的データ（updated graphical data）は、ひずみを補償し、そして、表示装置における表示品質を改善することができる。この処理は、図的データにおける高周波成分の増幅を包含することができる。これは、低域通過の図的データを生成するために図的データに低域通過フィルタを適用すること、高域通過の図的データを生成するために、図的データから低域通過の図的データを減算すること、及び、増幅された高周波成分を備える更新図的データを生成するために、図的データに高域通過の図的データを追加することを包含することができる。この方法は、図的データを第１の空間（例えばRGB色空間）から第２の空間（例えば、QTD、YUV、CIE LUV、CIE LABなどの輝度−色空間）に変形すること、第２の空間内で更新された図的データを生成するために、図的データを第２の空間内で処理すること、そして、更新された図的データを、第２の空間から第１の空間に変換することを含むことができる。
【０００７】
他の実施形態においては、ここで具体化されたコンピュータ可読プログラムコードを有するコンピュータ可用媒体は、マルチコンポーネントディスプレイ上での表示品質を改善するために図的データを処理する方法をコンピュータシステムに実施させることができる。また、さらに他の実施形態では、システムは、メモリに接続されたプロセッサを含むことができる。ここで、メモリは、マルチコンポーネントディスプレイ上での表示品質を改善するために図的データを処理する方法を、実行時においてプロセッサ上に実装する命令を含む。
【図面の簡単な説明】
【０００８】
本発明は、添付の図面において、例として図示されており、これは制限ではない。そして、図面において同様の参照番号は類似の要素を参照している。
【図１】図１は、本発明の一実施形態に従う典型的なマルチコンポーネントディスプレイ上における図的オブジェクトの典型的な表示についての図解を示す。
【図２】図２は、本発明の一実施形態に従って表示された図的オブジェクトの周波数スペクトラム上におけるマルチコンポーネントディスプレイ要素の典型的な効果についての図解を示す。
【図３】図３は、本発明の一実施形態に従って、マルチコンポーネントディスプレイ上における改善された表示品質のための図的データを処理するための、コンピュータに実装された典型的手順を示す。
【図４】図４は、本発明の一実施形態に従って、マルチコンポーネントディスプレイ上における改善された表示品質のための図的データを処理するための、典型的システムを示す。
【図５】図５は、本発明の一実施形態に従って更新図的データを生成するための図的変更情報に従って図的データを処理するための、コンピュータに実装された典型的手順を示す。
【図６】図６は、本発明の実施形態が実装可能な、典型的なコンピュータシステム・プラットフォームを示す。
【発明の詳細な説明】
【０００９】
本発明の実施形態への詳細な言及がなされており、実施形態の例は、添付の図面に示されている。本発明は、後述の実施形態に関連して説明されるけれども、理解されるべきこととして、それらは、本発明をその実施形態のみに限定することを意図したものではない。反対に、本発明は、添付の請求項において規定された本発明の精神及び範囲に包含可能な代案、変更及び同等物を含むことを意図している。さらに、本発明についての後述の詳細な記述においては、多数の特定された具体例が示され、これによって本発明の理解を容易としている。しかしながら、本発明の実施形態は、これらの特定された具体例を用いなくても実施可能である。他の例では、よく知られた方法、手順、要素及び回路が、詳細には記載されていない。これにより、本発明の理解を不必要に阻害することを防いでいる。
【００１０】
（注記及び用語法）
後述する詳細な記述のある部分は、手順、論理ブロック、処理、及び他の、コンピュータメモリ内でのデータビットについての典型的な操作の例として表現されている。これらの記載及び表現は、データ処理技術についての当業者により使用されており、彼らの仕事の実態を他の当業者に最も効果的に説明することができる。本発明においては、手順、論理ブロック、処理などは、所望の結果を導くための統一的な一連の手順若しくは命令として理解される。手順は、物理量についての物理的な操作を要求するものである。必須ではないけれども通常は、これらの量は、保存、転送、結合、比較などの何らかの操作がコンピュータシステム内可能な、電気的あるいは磁気的な信号の形態を取る。
理解されるべきこととして、これらの、そして類似の用語は、適宜な物理量に関連しており、そして、それらは、当該の量に適用された単なる便宜的なラベルである。後の記載において特に明示されていない限り、本発明全体を通じて、以下のことが理解される。すなわち、例えば「受け取る」、「アクセスする」、「追加する」、「分析する」、「適用する」、「組み立てる」、「割り当てる」、「計算する」、「捕捉する（capturing）」、「組み合わせる」、「比較する」、「収集する」、「創作する（creating）」、「特定する」、「描写する」、「検知する」、「決定する」、「表示する」、「確立する」、「実行する（executing）」、「生成する（generating）」、「分類する（grouping）」、「特定する（identifying）」、「開始する（initiating）」、「相互作用する」、「変更する（modifying）」、「監視する」、「移動する」、「出力する」、「行う（performing）」、「配置する」、「提示する」、「処理する」、「プログラムする」、「質問する」、「除去する」、「繰り返す」、「標本抽出する（sampling）」、「並べ替える」、「保存する」、「減算する（subtracting）」、「変形する」、「用いる」などという用語を用いた議論は、コンピュータシステムあるいは類似の電気的コンピュータ装置における動作又は処理を参照する。ここで、コンピュータシステムは、コンピュータシステムのレジスタ及びメモリ内の物理的（電気的）量により表されたデータを操作して、コンピュータシステムのメモリ若しくはレジスタ内、又は情報保存、伝送若しくは表示装置内において同様に物理量として表現された他のデータに変形する。
【００１１】
（発明の実施形態）
図１は、本発明の一実施形態に従う典型的マルチコンポーネントディスプレイ上における、図的オブジェクトの典型的な表示についての図解（diagram）１００を示す。図１に示されるように、マルチコンポーネントディスプレイ（MCD）１１０は、後方表示スクリーン１２０と、前方表示スクリーン１３０と、表示スクリーン１２０及び１３０の間に配置された光学要素１４０とを備える。図的オブジェクト１５０は、観察者１６０がそれを見るために、後方表示スクリーン１２０上に表示可能である。ここで、観察者１６０は、人間の目あるいは、電気的及び／又は機械的光学受容要素（例えば静止画カメラ、動画カメラなど）などを備えることができる。理解されるべきこととして、光学要素１４０及び／又は前方表示スクリーン１３０は、一実施形態においては、半透明（semi-transparent）であって、十分な光を通過させることができ、これによって、観察者１６０は図的オブジェクト（例えば１５０）を見ることができる。
【００１２】
図的オブジェクト１５０は、後方表示スクリーン１２０におけるあらゆる視覚的表示を備えることができる。一実施形態では、図的表示は、静止画を備えることができる。静止画は、独立の画像、あるいは、代替的には、ビデオ若しくは動画のフレームを含むことができる。代替的には、図的オブジェクト１５０は、フレームなしの動画（frame-less moving imagery）を含むことができる。また、図的オブジェクト１５０は、複数の個別的な画像、同じ画像における隣接部分、同じ画像における隣接しない部分などを含むことができる。
【００１３】
図１に示されるように、表示スクリーン１２０及び／又は１３０は、一実施形態において、液晶表示（LCD）マトリックスを備えることができる。代替的には、表示スクリーン１２０及び／又は１３０は、有機発光ダイオード（OLED）ディスプレイ、透明発光ダイオード（TOLED）ディスプレイ、陰極線管（CRT）ディスプレイ、電界放出ディスプレイ（FEDs）、フィールドシーケンシャルディスプレイ（field sequential display）、あるいは投光ディスプレイ（projection displays）を備えることができる。他の実施形態においては、表示スクリーン１２０及び／又は１３０は、他の表示技術を備えることができる。
【００１４】
中間層（例えば光学要素１４０）は、MCD（例えば１１０）上における図的オブジェクトの表示及び／又はMCD（例えば１１０）自体の特性を変更するために、表示スクリーン１２０と１３０との間に配置可能である。例えば、光学要素１４０は、フィルタ（例えば空間フィルタ（spatial filter）など）、ディフューザ（例えばホログラム的ディフューザ、ガウスプロファイルを持つ光学要素など）、偏光器、レンズ、タッチスクリーン、あるいはそれらの組み合わせを備えることができる。代替的には、光学要素１４０は、微小光学構造を備えることができる。このように、要素１４０の類型及び／又は特徴を変更して、図的オブジェクトがMCD１１０上で表示される態様を変更することができる。例えば、光学要素１４０は、MCD１１０に関係するモアレ干渉、シャープさ若しくはボケ具合、色調バランス（tonal balance）、色バランス（color balance）など、及び／又は、MCD１１０上の図的オブジェクトの表示に影響することができる。
【００１５】
光学要素１４０の特性を変更することに加えて、あるいはこれに代えて、光学要素１４０の位置を、後方表示スクリーン１２０及び／又は前方表示スクリーン１３０に関して変化させることによって、MCD１１０上における図的オブジェクトの表示を調整することができる。図１に示されるように、後方表示スクリーン１２０は、位置１２５に配置され、前方表示スクリーンは位置１３５に配置され、光学要素１４０は位置１４５に配置される。光学要素１４０を、後方表示スクリーン１２０の方向に動かす（例えば位置１４５ａにおける光学要素の概要１４０ａで示される通り）、あるいは、前方表示スクリーン１３０の方向に動かす（例えば位置１４５ｂにおける光学要素の概要１４０ｂで示される通り）ことにより、MCD１１０に関係したモアレ干渉、シャープさ若しくはボケ具合、色調バランス、色バランス、及び／又は、MCD１１０上における図的オブジェクトの表示（例えば１５０）などに影響することができる。
【００１６】
本発明の実施形態においては、MCD上での表示に先立って図的データを処理することにより、MCD画像表示の調整が可能となる。例えば、MCD（例えば１１０）における中間層（例えば１４０）及び／又は表示スクリーン（例えば１３０）を介して図的オブジェクトを送出もしくは視認することによって生成されるひずみあるいは画像変更を、表示に先立って補償することができる。一実施形態では、図的オブジェクト（例えば１５０）を表示するために使用される図的データを（例えばMCD要素のひずみ若しくは画像変更を計算に入れて）変更して、更新された図的データを生成することができる。このように、更新された図的データから生成された図的オブジェクト（例えば１５０）を、MCD１１０上に（例えば、光学要素１４０及び前方表示スクリーン１３０を通過した後に）、改善された光学特性（例えばシャープさ、色調バランス、色バランスなど）において表示することができる。
【００１７】
したがって、実施形態を用いて、MCDにおける表示品質を改善することができる。ここで、MCDは、二つ又はそれ以上の光学特性間におけるトレードオフを導入する光学要素を用いる。例えば、光学要素１４０がディフューザを備えている場合は、MCD１１０に関係するモアレ干渉と、図的オブジェクト１５０の表示におけるシャープさとの間におけるトレードオフが導入される。要素１４０の特性及び／又は位置を変更して、少なくとも一つの光学特性（例えばモアレ干渉を減らすこと）に関係する画像品質を改善することができる。図的データの処理を実行して、先に調整された光学特性を改善する、及び／又は、他の光学特性を改善する（例えばぼけを減らすなど）ことが可能である。このように、実施形態は、多様な光学要素（例えば１４０）を用いることができ、ここでは、MCD（例えば１１０）の表示品質を、用いられる光学要素（単数又は複数）の数、類型、又は属性に拘わらず、改善することができる。
【００１８】
図１は、前方及び後方表示スクリーン（例えば１２０及び１３０）の間に配置された光学要素１４０を示しているが、理解されるべきこととして、他の実施形態においては、光学要素１４０を、他の場所に配置する（例えば前方表示スクリーン１３０の手前に配置する）ことも可能である。また、図１は、一つの光学要素（例えば１４０）のみを示しているが、理解されるべきこととして、MCD１１０は、他の実施形態において、一つより多い光学要素を備えることができ、ここでは、各光学要素を、表示スクリーン１２０及び又は表示スクリーン１３０の手前又は背後に配置することができる。このように、図的データの処理を実行することによって、MCD（例えば１１０）の表示スクリーン（例えば１２０、１３０など）に関係する光学要素（例えば１４０）の位置に拘わらずに光学要素により生成される光学的なひずみあるいはボケを、補償することができる。
【００１９】
また、図１は、二つの表示スクリーン（例えば１２０及び１３０）を示しているが、理解されるべきこととして、MCD１１０は、他の実施形態において、より多数又は少数の表示スクリーンを備えることができる。ここで、追加の表示スクリーンは、図１に記載されたMCD要素（例えば表示スクリーン１２０、表示スクリーン１３０、光学要素１４０など）の背後、中間あるいは手前に（若しくはそれらの組み合わせにおいて）配置可能である。このように、一実施形態においては、図的データの処理は、単層の表示スクリーンの手前に配置されたタッチスクリーンあるいは他の光学要素によって生成される光学的なひずみもしくはボケを補償するために実行可能である。さらに、理解されるべきこととして、図１に記載された要素（例えば１１０〜１６０）は、寸法を制限するために記載されたものではなく、したがって、これらは、他の実施形態において、異なる形状、サイズ等を備えることができる。
【００２０】
図２は、本発明の一実施形態に従って表示された図的データの周波数スペクトラムに関する、マルチコンポーネントディスプレイにおける典型的な効果についての図解２００を示す。図２に示されるように、MCD１１０における背面表示スクリーン１２０によって表示された図的オブジェクト１５０は、経路２１０〜２３０に沿って、観察者１６０まで進行する。より具体的には、図的オブジェクト１５０は、経路２１０に沿って、背面表示スクリーン１２０から光学要素１４０に進み、経路２２０に沿って、光学要素１４０から前方表示スクリーン１３０に進み、そして経路２３０にそって、前方表示スクリーン１３０から観察者１６０に進む。表示された図的オブジェクト１５０は、それぞれの経路セグメント（例えば２１０〜２３０）において、対応する空間周波数スペクトラムを有している。その例は、典型的な周波数スペクトラムの集合（groupings）２４０及び２５０に示されている。ここで、各集合は、本発明における異なる実施形態に従うMCD要素（例えば表示スクリーン１２０、表示スクリーン１３０及び光学要素１４０）における異なる特徴が与えられた周波数スペクトラムについての異なる効果を記述している。
【００２１】
周波数スペクトラム集合２４０は、ある実施形態を表現可能である。ここでは、光学要素（例えば１４０）が、表示される図的オブジェクト（例えば１５０）における高周波成分を抑制する一方で、前方表示スクリーン（例えば１３０）は、周波数スペクトラムにおいて僅かな効果しか有しない。図２に記載されるように、経路２１０は、高周波成分が増幅された、関連の周波数スペクトラム（例えば２４２）を有することができ、これにより、光学要素１４０による高周波成分の抑圧又は減少を補償することができる。図的オブジェクト１５０を表示するために用いられる図的データを処理することによって、図１に関連して前記したように、高周波成分を増幅することができる。このように、光学要素１４０を通過する時に、増幅された高周波成分が抑制される（例えば、増幅前のレベルに戻される）。このことは、経路２２０に関連する、実質的に平坦な周波数スペクトラム２４４に示される通りである。前方スクリーン（例えば１３０）は、表示される図的オブジェクト（例えば１５０）における周波数スペクトラムについて、この実施形態では、少しの効果しか持っていないので、表示される図的オブジェクトが前方表示スクリーン１３０を通過しても、周波数スペクトラム２４４は維持される。したがって、経路２３０は、関連する周波数スペクトラム（例えば２４４）を、経路２２０と共有する。
【００２２】
周波数スペクトラム集合２５０は、表示される図的オブジェクト（例えば１５０）の高周波成分を抑制する光学要素（例えば１４０）及び前方表示スクリーン（例えば１３０）を表すことができる。図２に記載されたように、経路２１０は、高周波成分が増幅された、関連する周波数スペクトラム（例えば２５２）を有することができ、これにより、光学要素１４０及び前方表示スクリーン１３０による高周波成分についての減衰を補償することができる。図１に関連して既に説明したように、図的オブジェクト１５０を表示するために用いられる図的データを処理することによって、高周波成分を増幅することができる。このように、光学要素１４０を通過するときには、経路２２０に関連する周波数スペクトラム２５４によって示されるように高周波成分が抑制される。その後、高周波成分は、前方表示スクリーン１３０を通過するときに、さらに抑制される（例えば、通常のレベルに戻される）。このことは、経路２３０に関連する、実質的に平坦な周波数スペクトラム２５４に示される通りである。
【００２３】
一実施形態においては、光学要素は、表示される図的オブジェクト（例えば１５０）における高周波成分を抑制することによって、表示される図的オブジェクト（例えば１５０）をボケさせるディフューザを（既定の分散角度、ガウス分布などで）備えることができる。一実施形態では、表示スクリーン１３０も、表示される図的オブジェクト（例えば１５０）における高周波成分を抑制することによって、図的オブジェクト（例えば１５０）をボケさせることができる。このように、図的オブジェクト（例えば１５０）を表示するために用いられる図的データを変更して、表示前に図的オブジェクト（例えば１５０）をシャープにすることができる。事前のシャープ化（pre-sharpening）は、表示される図的オブジェクト（例えば１５０）における高周波成分を増幅することができ、そして、光学要素１４０及び／又は前方表示スクリーン１３０に関連するぼかしは、図的オブジェクトがMCD（例えば１１０）の要素（例えば１４０及び／又は１３０）を通過する際に、増幅された高周波成分を減少させる。一実施形態では、光学要素１４０及び／又は前方表示スクリーン１３０におけるぼかしは、増幅された高周波成分を、補償前あるいは通常のレベルに戻すことができる。
【００２４】
図２は、画像のひずみについての特定のタイプ（例えば、周波数スペクトラム集合２４０及び２５０に示されるもの）を、MCD（例えば１１０）における特定の要素（例えば１３０及び／又は１４０）に帰属させているが、理解されるべきこととして、他の実施形態においては、MCD要素（例えば１３０、１４０など）の一つ又はそれ以上が、表示される図的オブジェクト（例えば１５０）に対して、代替的にひずみを与える（あるいは測定できないひずみを生成する）ことができる。図２は、ただ一つの光学要素（例えば１４０）を示しているが、理解されるべきこととして、MCD１１０は、他の実施形態において、一つ以上の光学要素を備えることができる。また、図２は、二つの表示スクリーン（例えば１２０及び１３０）を示しているが、理解されるべきこととして、MCD１１０は、他の実施形態において、より多数又は少数の表示スクリーンを備えることができる。ここでは、追加的な表示スクリーンは、図２に記載されたMCD要素（例えば表示スクリーン１２０、表示スクリーン１３０、及び光学要素１４０）の背後、中間、あるいは手前（又はそれらの組み合わせ）に配置可能である。さらに、理解されるべきこととして、図２に記載された要素（例えば１１０〜１６０）は、寸法を制約するために記載されたものではなく、したがって、それらは、他の実施形態において、異なる形状やサイズを備えることができる。
【００２５】
図３は、本発明の一実施形態に従ってマルチコンポーネントディスプレイ上における表示品質を改善するための図的データを処理するためにコンピュータに実装される手順３００の典型例を示す。図４は、本発明の一実施形態に従ってマルチコンポーネントディスプレイ上における表示品質を改善するために図的データを処理するためのシステム４００の典型例を示す。システム４００は、一実施形態における手順３００を実行するために使用可能である。図４は、図３に関連して説明される。
【００２６】
図３に示されるように、ステップ３１０は、図的データへのアクセスに関する。図的データ（例えば４１５）は、図４に示すように、図的データ源（例えば４１０）からアクセス可能である。ここで、図的データ源は、メモリ（例えば、フレームバッファ、コンピュータシステムの主メモリなど）、プロセッサ（例えば画像処理ユニット（GPU）、中央処理ユニット（CPU）など）、他のシステム／装置（例えばシステム４００に接続されたものなど）などを備えることができる。図的データ（例えば４１５）は、一実施形態において、図的データ処理要素（例えば４２０）からアクセス可能である。図的データ処理要素４２０は、ハードウエア（例えば画像処理ユニット、画像処理ユニットに接続された用途特定の集積回路（ASIC）など）、ソフトウエア（例えば画像ドライバ、オペレーティングシステム・コードなど）、あるいはそれらの組み合わせによって実装可能である。
【００２７】
ステップ３２０は、MCDに関係する図的変更情報へのアクセスを含む。図的変更情報（例えば４２２）は、表示される図的オブジェクト（例えば１５０）が光学要素（例えば１４０）を通過し、あるいはこれを関して観察される（観察者１６０によって）ときに、MCD（例えば１１０）の光学要素（例えば１４０）に関連するひずみ又は画像変更を表すことができる。代替的には、図的変更情報（例えば４２２）は、表示される図的オブジェクト（例えば１５０）が表示スクリーン（例えば１３０）を通過し又はこれを介して観察される（観察者１６０によって）ときに生成される、MCD（例えば１１０）の表示スクリーン（例えば１３０など）に関係するひずみ又は画像変更を表すことができる。そして、他の実施形態では、図的変更情報（例えば４２２）は、表示される図的オブジェクト（例えば１５０）が、光学要素（例えば１４０）及び表示スクリーン（例えば１３０）を通過し又はこれらを介して観察される（例えば観察者１６０によって）ときに、MCD（例えば１１０）の光学要素（例えば１４０）及び表示スクリーン（例えば１３０など）に関連するひずみ又は画像変更を表すことができる。また、一実施形態では、図的変更情報４２２は、MCD（例えば１１０）における光学要素（例えば１４０）及び／又は表示スクリーン（例えば１３０など）についての周波数応答を備えることができる。
【００２８】
図的変更情報（例えば４２２）を既定値とすることができる（例えば要素４２０のメモリ内に保存する、要素４２０に接続されたメモリ内に保存する、使用者により入力されるなど）。代替的には、図的変更情報（例えば４２２）は、電気的及び／又は機械的な光学受容要素（optical reception component）（例えば１６０）用いて動的に決定可能（例えば操作中において）である。ここで、図的変更情報（例えば４２２）は、処理のためにフィードバック可能（例えば要素４２０に対して）である（例えばこれによって、制御ループを形成して、MCD１１０に関連する画像ひずみを制御することができる）。
【００２９】
図３に示されているように、ステップ３３０は、図的データ（例えば４１５）を、第１の空間から第２の空間に（例えば要素４２０を用いて）変換することを含む。画像ひずみ／変更（例えばMCD１１０の要素により生じるもの）を補償するための処理を、選択された数の（例えば全部の数よりも少ない）チャネル上で実行可能な空間に、現在の空間から、図的データ（例えば４１５）を変換することができる。一実施形態では、図的データ（例えば４１５）を、赤−緑−青（RGB）色空間から、輝度−色空間（luminance-chrominance space）（例えばQTD、YUV、CIE LUV、CIE LABなど）に変換することができる。
【００３０】
一実施形態では、RGB色空間からQTD輝度−色空間への図的データ（例えば４１５）の変形は、下記の典型的なコンピュータコードに従って実行可能である。
【００３１】
2010538304.tif 000003
ここで、「Image(:,:,1)」は、図的データ（例えば４１５）の赤チャネルを表すことができ、「Image(:,:,2)」は、図的データ（例えば４１５）の緑チャネルを表すことができ、そして、「Image(:,:,3)」は、図的データ（例えば４１５）の青チャネルを表すことができる。このように、一実施形態では、輝度チャネルＱを、以下の式に従って計算することができる
【００３２】
Q = 0.25*R + 0.5*G + 0.25*B,
ここで、「R」は、図的データ（例えば４１５）の赤チャネルを表し、「G」は、図的データ（例えば４１５）の緑チャネルを表し、そして、「B」は、図的データ（例えば４１５）の青チャネルを表す。また、二つの輝度チャネルＴ及びＤは、以下の式に従って計算することができる。
【００３３】
T = R - G,
D = 0.5*R + 0.5*G - B.
【００３４】
図３に示されるように、ステップ３４０は、図的変更情報（例えばステップ３２０でアクセスされたもの）に従って図的データ（例えば４１５）を処理することを含んでおり、更新された図的データ（例えば４２５）を生成することができる。この処理は、図的データ処理要素（例えば４２０）によって実行可能である。また、更新された図的データ（例えば４２５）は、表示される図的オブジェクト（例えば１５０）についての、MCD（例えば１１０）の要素（例えば１３０、１４０など）によるひずみ又は変更を、図的変更情報（例えば４２２）に表現されているように、補償することができる。そして一実施形態では、ステップ３４０は、図５の処理５００に従って実行可能である。
【００３５】
ステップ３４０の処理は、図的データ（例えば４１５）における選択された数のチャネル上で実行可能である。例えば、図的データ（例えば４１５）が輝度−色空間に変換される（例えば前記ステップ３３０に関して述べた通り）場合は、輝度チャネル（例えばQTD輝度−色空間におけるＱチャネル）を、一実施形態において、単独で処理可能である。したがって、複数のチャネル（例えば、もし図的データがステップ３３０で変換されておらず、そして、RGB色空間における複数の色チャネル上で処理が実行される場合）に代えて単独のチャネルを処理することによって、処理効率を向上可能である。輝度チャネルにおける解像度（例えばビット深さ）を、ステップ３４０での処理の前に下げることによって、処理効率をさらに向上させることができる。また、他の実施形態では、追加のチャネル（例えばＴチャネル、Ｄチャネルなど）を、画像ひずみ／変更の制御を強調するために、処理可能であり、ここでは、強調された処理効率のために、追加のチャネルの解像度も減少させることができる。代替的に、図的データ（例えば４１５）は、新しい空間に変更せずに、処理可能である（例えば、これにより、ステップ３３０をスキップする）。
【００３６】
ステップ３５０は、更新された図的データ（例えば４２５）を、第２の空間（例えば、ステップ３３０において変換先となっているもの）から、第１の空間（例えば、ステップ３３０内の変換より前の図的データ４１５についての、当初の空間）に変換することを含む。一実施形態では、QTD輝度−色空間からRGB色空間への、更新された図的データ（例えば４２５）についての変換は、以下の典型的なコンピュータコードに従って実行可能である。
【００３７】
2010538304.tif 000004
ここで、Ｙは、RGBからQTDへの変換のために用いられる行列（例えばＸ行列）の逆を表すことができ、「tImage(:,:,1)」は、更新された図的データ（例えば４２５）における輝度チャネルＱを表し、「tImage(:,:,2)」は、更新された図的データ（例えば４２５）における第１の色チャネルＴを表し、「tImage(:,:,3)」は、更新された図的データ（例えば４２５）における第２の色チャネルＤを表すことができる。
【００３８】
図３に示されるように、ステップ３６０は、（例えば要素４２０から）更新された図的データ（例えば４２５）をMCDに、視覚的出力を生成するために出力することを含む。図４に示されるように、MCD１１０は、更新された図的データ４２５にアクセスし、そして、そこからの視覚的な出力４４０を生成することができる。このように、視覚的な出力４４０は、図２の経路２３０に対応可能である。また、視覚的な出力４４０は、MCD１１０の要素（例えば１３０、１４０など）を通過する際に引き続いて変更あるいはひずみを受ける、補償された図的オブジェクト（例えば１５０）についての表示の結果でありうる。したがって、視覚的な出力４４０における画像ひずみ／変更（例えばMCD１１０の要素によって生じるもの）が減少し、これによって、MCD１１０の表示品質を向上させることができる。
【００３９】
代替的に、更新された図的データ（例えば４２５）は、引き続いての保存及び／又は処理のための出力（例えば要素４２０からの）であり得る。一実施形態では、更新された図的データ（例えば４２５）は、図４中の矢印４３２で示すように、（処理及び／又は保存のために）図的データ源４１０に戻されることができる。その後、更新された図的データは、その後の表示のために（例えばステップ３６０に従って）、図４中の矢印４３４で示すように、MCD１１０に出力可能である。
【００４０】
図５は、図的変更情報（例えば４２２）に従って図的データ（例えば４１５）を処理するための、典型的な、コンピュータに実装された処理５００を示しており、これにより、本発明の一実施形態に従って更新された図的データ（例えば４２５）を生成することができる。処理５００を処理することは、一実施形態におけるMCD（例えば１１０）上での表示に先立って、図的オブジェクト（例えば１５０）を効果的にシャープ化し、これにより、MCD（例えば１１０）の図的オブジェクト（例えば１５０）が要素（例えば１３０、１４０など）を通過することによって生じるボケを補償し、MCD（例えば１１０）の表示品質を効果的に改善することができる。一実施形態では、処理５００は、図的データの小領域（sub-portions）（例えば、ピクセルの列ごと、ピクセルにおける複数列同時など）に適用可能である。代替的に、処理５００は、図的データにおける、より広い部分（例えばフレームごとなど）に適用可能である。
【００４１】
図５に示されるように、ステップ５１０は、低域通過フィルタを図的データ（例えば４１５、これは、図３の処理３００のステップ３３０によって生成された、変換された図的データである）に適用して、低域通過の図的データを生成することを含む。低域通過フィルタは、図的データにおける実質的に全ての高周波成分を減少させ、又は取り除いて、（例えば低域通過の図的データを備える）実質的に全ての低周波成分を残す。除去されるべき高周波及び残されるべき低周波を定義するために、多様なカットオフ周波数を使用することができ、ここでは、カットオフ周波数は、既定（例えばメモリに保存されている、使用者に入力されるなど）のもの、動的に変化する（例えばMCDにおける画像ひずみ／変更測定に応じる）ものであってもよい。
【００４２】
一実施形態では、図的データは、次の典型的なコンピュータコードを用いて低域が通過されたものである：
【００４３】
2010538304.tif 000005
ここで、fspecial関数は、低域通過のガウスフィルタを実装可能であり（例えば、「gaussian」引数で示されたもの）、これは、引数「filter_size」で定義されたサイズと、引数「sigma」で定義された標準偏差とを有する行列（例えば「filter」と名付けられたもの）を返す。前記のconv関数は、Ｑ行列（例えば図３の処理３００のステップ３３０中で定義されたもの）の一部に低域通過フィルタを適用するために使用可能であり、ここでは、conv関数は、低域通過の図的データを備える行列「transQ」を返す。代替的には、QTDあるいは他の輝度−色空間における他のチャネルは、ステップ５１０において、低域通過フィルタがなされることが可能である。また、他の実施形態では、色空間（例えばRGB）のチャネルが、ステップ５１０において低域通過フィルタ可能である。
【００４４】
ステップ５２０は、低域通過の図的データ（例えばステップ５１０で決定されたもの）を、図的データ（例えば４１５、図３の処理３００のステップ３３０により生成された図的データを変形したものなど）から減算することを含み、これにより、高域通過の図的データを生成することができる。その後、高域通過の図的データ（例えばステップ５２０で生成されたもの）を、ステップ５３０において図的データに追加して、増幅された高周波成分を持つ更新された図的データ（例えば４２５）を生成することができる。
【００４５】
一実施形態では、ステップ５２０及び５３０を、以下の典型的なコンピュータコードを用いて実行可能である：
【００４６】
2010538304.tif 000006
ここで、alphaは、図的データ（例えば、図３の処理３００のステップ３３０中で決定されたＱ行列）から減算される低周波成分に（例えばtransQ行列中で）適用されるスケーリングファクタを表し、betaは、図的データ（例えば図３の処理３００のステップ３３０中で決定されたＱ行列）に追加される高周波成分に適用されるべきスケーリングファクタを表す。一実施形態では、alphaは、おおよそ０．５から１．５の範囲で変化可能であり、一方で、βは、おおよそ０．２５から１．２５の範囲で変化可能である。したがって、行列Ｑは、MCD要素（例えば１３０、１４０など）におけるひずみ／変更を調整するための、（例えば、図的データにおける高周波成分を増幅することによって）補償された更新図的データを表すことができる。ここで、Qnewは、Ｑ行列を、計算された高周波成分（例えば、Ｑ行列から低周波成分を減じることで決定されたもの）に追加することによって形成可能である。代替的には、QTDあるいは他の輝度−色空間における他のチャネルを、ステップ５２０及び５３０において処理可能である。また、他の実施形態では、色空間（例えばRGB）のチャネルを、ステップ５２０及び５３０において処理可能である。
【００４７】
図６は、本発明の実施形態を実装可能な、典型的なコンピュータシステム・プラットフォーム６００を示す。図６に示されるように、本発明の部分は、例えば、汎用のコンピュータネットワーク（図示せず）の一部として使用可能なコンピュータシステム・プラットフォーム６００中に存在できる、コンピュータ読み取り可能かつコンピュータ実行可能な命令から構成される。理解されるべきこととして、図６のコンピュータシステム・プラットフォーム６００は、単なる典型例に過ぎない。したがって、本発明は、多数の異なるシステム内で動作可能である。このシステムは、以下を含むが、これらに制限されない。すなわち、汎用コンピュータシステム、組み込み（embedded）コンピュータシステム、ラップトップコンピュータシステム、手持ち型コンピュータシステム、可搬型コンピュータシステム、スタンドアロン・コンピュータシステム、ゲームコンソール、ゲーム用システムあるいは機械（例えばカジノあるいは他のゲーム施設内で見られるもの）、あるいはオンラインのゲームシステムである。
【００４８】
一実施形態においては、破線６３０で記載されたように、コンピュータシステム・プラットフォーム６００は、少なくとも一つのプロセッサ６１０と、少なくとも一つのメモリ６２０とを包含可能である。プロセッサ６１０は、中央処理ユニット（CPU）あるいは他のタイプのプロセッサを包含可能である。コンピュータシステム環境の構成及び又はタイプによっては、メモリ６２０は、揮発性メモリ（例えばRAM）、不揮発性メモリ（例えばROM、フラッシュメモリなど）、あるいはこれら二つの組み合わせを包含可能である。また、メモリ６２０は、取り外し可能でも取り外し不能でもよい。
【００４９】
他の実施形態では、コンピュータシステム・プラットフォーム６００は、追加的なストレージ（例えば取り外し可能ストレージ６４０、取り外し不能ストレージ６４５など）を包含可能である。取り外し可能ストレージ６４０及び／又は取り外し不能ストレージ６４５は、揮発性メモリ、不揮発性メモリ、あるいはこれらの組み合わせを包含可能である。また、取り外し可能ストレージ６４０及び／又は取り外し不能ストレージ６４５は、CD-ROM、デジタル多用途ディスク（DVD）若しくは他の光学ストレージ、磁気カセット、磁気テープ、磁気ディスクストレージ若しくは他の磁気的ストレージ装置、又は、コンピュータシステム・プラットフォーム６００によるアクセスのための情報を保存するために使用可能な他の媒体を包含可能である。
【００５０】
図６に示されるように、コンピュータシステム・プラットフォーム６００は、通信インタフェース６７０を介して、他のシステム、要素、あるいは装置と通信可能である。通信インタフェース６７０は、コンピュータ読み取り可能な命令、データ構造、プログラムモジュール又は変調されたデータ信号（例えば搬送波）若しくは他の搬送機構内の他のデータを取り入れることができる。例として、ただし制限ではなく、通信インタフェース６７０は、有線媒体（例えば有線ネットワーク、直接有線接続など）及び／又は無線媒体（例えば無線ネットワークや、音響、RF、赤外若しくは他の無線信号を用いた無線接続など）に接続可能である。
【００５１】
通信インタフェース６７０は、コンピュータシステム・プラットフォーム６００を一つ又はそれ以上の入力装置（例えばキーボード、マウス、ペン、音声入力装置、接触入力装置など）及び／又は出力装置（例えばディスプレイ、スピーカ、プリンタなど）に接続することもできる。一実施形態では、通信インタフェース６７０は、コンピュータシステム・プラットフォーム６００をマルチコンポーネントディスプレイ（例えば１１０）に接続することも可能である。
【００５２】
図６に示されるように、グラフィックプロセッサ６５０は、コンピュータシステム・プラットフォーム６００におけるフレームバッファ６６０あるいは他のメモリ（例えば６２０、６４０、６４５など）の中に保存された図的データについての図的な処理操作を実行することができる。フレームバッファ６６０の中に保存された図的データは、コンピュータシステム・プラットフォーム６００における要素（例えばグラフィックプロセッサ６５０、プロセッサ６１０など）及び・又は他のシステム／装置における要素によって、アクセスされ、処理され、及び／又は変更されうる。また、図的データは、（例えばグラフィックプロセッサ６５０によって）アクセスされ、そして、コンピュータシステム・プラットフォーム６００に接続された出力装置上で表示されうる。したがって、メモリ６２０、取り外し可能なストレージ６４０、取り外し不能なストレージ６４５、フレームバッファ６６０あるいはそれらの組み合わせは、次の命令を包含可能である。すなわち、この命令は、プロセッサ（例えば６１０、６５０など）の上で実行される場合において、図的データ（例えばフレームバッファ６６０内に保存されたもの）を処理する方法を、マルチコンポーネントディスプレイ（例えば１１０）上における改善された表示品質のために、実装する。
【００５３】
前記した明細書においては、本発明の実施形態を、多様な特定の詳細を参照しながら説明してきたが、それらは、様々に変更可能である。したがって、本発明が何であるか、そして、出願人が発明であると特定するものが何であるかについての唯一の指針は、今後の補正を含んで、本出願に記載された特定の形態における請求項のセットである。このように、請求項において明示的に規定されていない制限、要素、特性、特徴、利点あるいは属性は、当該請求項の範囲を、いかなる意味でも制限しない。したがって、明細書及び図面は、制限的な意味ではなく、例示として把握されるべきである。
【図１】
2010538304.tif 000007
【図２】
2010538304.tif 000008
【図３】
2010538304.tif 000009
【図４】
2010538304.tif 000010
【図５】
2010538304.tif 000011
【図６】
2010538304.tif 000012
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
図的データを処理する方法であって、この方法は、以下を備える：
前記図的データにアクセスすること；
マルチコンポーネントディスプレイに関係する図的変更情報にアクセスすること、ここで、前記マルチコンポーネントディスプレイは、第１の表示スクリーンと、第２の表示スクリーンとを備えており、ここで、前記第１及び第２の表示スクリーンは、対応する画像をそれぞれ表示するものとされており、さらにここで、前記図的変更情報は、前記マルチコンポーネントディスプレイ上で表示される図的オブジェクトのひずみに関係しており；そして
更新された図的データを生成するために、前記図的変更情報に従って前記図的データを処理すること、ここで、前記更新された図的データは、前記ひずみを補償しており、かつ、前記マルチコンポーネントディスプレイにおける表示品質を改善するものである。
【請求項２】
請求項１の方法であって、ここでは、前記処理は、画像シャープ化アルゴリズムを前記図的データに適用することを備えている。
【請求項３】
請求項１の方法であって、ここでは、前記処理は、前記図的データにおける高周波成分を増幅することを備えている。
【請求項４】
請求項３の方法であって、ここでは、前記高周波成分についての前記増幅は、以下を備えている：
低域通過の図的データを生成するために、低域通過フィルタを前記図的データに適用すること；
高域通過の図的データを生成するために、前記低域通過の図的データを、前記図的データから減算すること；そして
増幅された高周波成分を持つ前記更新された図的データを生成するために、前記高域通過の図的データを、前記図的データに追加すること。
【請求項５】
請求項１の方法であって、これは、さらに以下を備える：
前記更新された図的データに基づいて、前記図的オブジェクトを表示すること。
【請求項６】
請求項１の方法であって、さらに以下を備える：
前記図的データを、第１の空間から第２の空間に変換すること；
前記第２の空間中で前記図的データを処理することにより、前記第２の空間中で前記更新された図的データを生成すること；そして
前記更新された図的データを、前記第２の空間から前記第１の空間に変換すること。
【請求項７】
請求項６の方法であって、ここでは、前記第１の空間は、赤−緑−青の色空間を備えており、さらにここでは、前記第２の空間は、輝度−色空間を備えている。
【請求項８】
請求項１の方法であって、ここでは、前記図的変更情報は、前記マルチコンポーネントディスプレイにおける光学要素に関係している。
【請求項９】
請求項８の方法であって、ここでは、前記光学要素は、フィルタ、ディフューザ、偏光器、レンズ、及びタッチスクリーンからなる群から選ばれている。
【請求項１０】
請求項１の方法であって、ここでは、前記図的変更情報は、前記第１の表示スクリーン及び第２の表示スクリーンからなる群から選択された表示スクリーンにおける周波数応答に関係している。
【請求項１１】
図的データを処理する方法をコンピュータシステムに実装させるためのコンピュータ可読プログラムコードが格納されたコンピュータ可用媒体であって、前記方法は以下を備える：
前記図的データにアクセスすること：
マルチコンポーネントディスプレイに関係する図的変更情報にアクセスすること、ここで、前記マルチコンポーネントディスプレイは、第１の表示スクリーンと第２の表示スクリーンとを備えており、ここで、前記第１及び第２のスクリーンは、対応する画像をそれぞれ表示するものとされており、そしてここで、前記図的変更情報は、前記マルチコンポーネントディスプレイ上で表示される図的オブジェクトのひずみに関係しており；そして
前記図的変更情報に従って前記図的データを処理することによって、更新された図的データを生成すること、ここで、前記更新された図的データは、前記ひずみを補償し、そして、前記マルチコンポーネントディスプレイにおける表示品質を改善するものである。
【請求項１２】
請求項１１のコンピュータ可用媒体であって、ここでは、前記処理は、画像シャープ化アルゴリズムを前記図的データに適用することを備える。
【請求項１３】
請求項１１のコンピュータ可用媒体であって、ここでは、前記処理は、前記図的データにおける高周波成分の増幅を備える。
【請求項１４】
請求項１３のコンピュータ可用媒体であって、ここでは、前記高周波成分についての前記増幅は以下を備える：
低域通過フィルタを前記図的データに適用して、低域通過の図的データを生成すること；
前記低域通過の図的データを前記図的データから減ずることにより、高域通過の図的データを生成すること；そして
前記高域通過の図的データを前記図的データに追加することによって、増幅された高周波成分を有する前記更新された図的データを生成すること。
【請求項１５】
請求項１１のコンピュータ可用媒体であって、これは、さらに以下を含む：
前記図的データを、第１の空間から第２の空間に変換すること；
前記第２の空間における前記図的データを処理することにより、前記第２の空間における前記更新された図的データを生成すること；そして
前記更新された図的データを、前記第２の空間から前記第１の空間に変換すること。
【請求項１６】
請求項１５のコンピュータ可用媒体であって、ここでは、前記第１の空間は、赤−緑−青の色空間を備えており、そしてここでは、前記第２の空間は、輝度−色空間を備えている。
【請求項１７】
請求項１１のコンピュータ可用媒体であって、ここでは、前記図的変更情報は、前記マルチコンポーネントディスプレイにおける光学要素に関係している。
【請求項１８】
請求項１７のコンピュータ可用媒体であって、ここでは、前記光学要素は、フィルタ、ディフューザ、偏光器、レンズ、及びタッチスクリーンからなる群から選択される。
【請求項１９】
請求項１１のコンピュータ可用媒体であって、ここでは、前記図的変更情報は、前記第１の表示スクリーン及び前記第２の表示スクリーンからなる群から選択された表示スクリーンにおける周波数応答に関係している。
【請求項２０】
メモリに接続されたプロセッサを備えるシステムであって、ここでは、前記メモリは、図的データを処理する方法を、前記プロセッサ上での実行時において実装する命令を備えており、前記方法は以下を備える：
前記図的データにアクセスすること；
マルチコンポーネントディスプレイに関係する図的変更情報にアクセスすること、ここで、前記マルチコンポーネントディスプレイは、第１の表示スクリーンと第２の表示スクリーンとを備えており、ここで、前記第１及び第２の表示スクリーンは、対応する画像をそれぞれ表示するものとされており、そしてここで、前記図的変更情報は、前記マルチコンポーネントディスプレイ上で表示される図的オブジェクトのひずみに関係しており；そして
前記図的変更情報に従って前記図的データを処理することにより、更新された図的データを生成すること、ここでは、前記更新された図的データは、前記ひずみを補償し、そして、前記マルチコンポーネントディスプレイにおける前記表示品質を改善するものである。
【請求項２１】
請求項２０のシステムであって、ここでは、前記処理は、画像シャープ化アルゴリズムを前記図的データに適用することを備える。
【請求項２２】
請求項２０のシステムであって、ここでは、前記処理は、前記図的データにおける高周波成分の増幅を備える。
【請求項２３】
請求項２２のシステムであって、ここでは、前記高周波成分についての前記増幅は以下を含む：
低域通過フィルタを前記図的データに適用して、低域通過の図的データを生成すること；
前記低域通過の図的データを前記図的データから減じることにより、高域通過の図的データを生成すること；そして
前記高域通過の図的データを前記図的データに追加することにより、増幅された高周波成分を備える前記更新された図的データを生成すること。
【請求項２４】
請求項２０のシステムであって、さらに以下を備える：
前記図的データを、第１の空間から第２の空間に変換すること；
前記第２の空間における前記図的データを処理することによって、前記第２の空間における前記更新された図的データを生成すること；そして
前記更新された図的データを、前記第２の空間から前記第１の空間に変換すること。
【請求項２５】
請求項２４のシステムであって、ここでは、前記第１の空間は、赤−緑−青の色空間を備えており、そしてここでは、前記第２の空間は、輝度−色空間を備えている。
【請求項２６】
請求項２０のシステムであって、ここでは、前記図的変更情報は、前記マルチコンポーネントディスプレイにおける光学要素に関係している。
【請求項２７】
請求項２６のシステムであって、ここでは、前記光学要素は、フィルタ、ディフューザ、偏光器、レンズ、及びタッチスクリーンからなる群から選択される。
【請求項２８】
請求項２０のシステムであって、ここでは、前記図的変更情報は、前記第１の表示スクリーン及び前記第２の表示スクリーンからなる群から選択された表示スクリーンにおける周波数応答に関係している。
【国際調査報告】
2010538304.tif 000013
2010538304.tif 000014
2010538304.tif 000015